【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
ネットワークを介して接続される端末装置と経路探索サーバとを備え、端末装置で設定した経路探索条件を満たす経路を前記経路探索サーバで探索して経路案内を行うナビゲーションシステムにおいて、
前記端末装置は、出発地及び目的地を含む経路探索条件を設定する条件設定手段と、前記端末装置の現在地を取得する現在地取得手段と、前記経路探索サーバに対して経路探索要求を行う経路探索要求手段と、前記経路探索サーバが探索した経路を記憶する経路データ記憶手段と、前記経路探索サーバが探索した経路を前記出発地及び前記目的地とともに表示する表示手段とを備え、
前記経路探索サーバは、前記経路探索条件及び前記経路探索要求に従って前記経路を探索する経路探索手段を備え、
前記経路探索手段は、前記経路案内中の経路から前記端末装置が逸脱した際に、前記現在地を新たな出発地として、前記目的地までの経路を再探索し、
前記経路データ記憶手段は、再探索前の前記出発地と、再探索時の前記新たな出発地と、再探索した前記経路とを記憶し、
前記表示手段は、再探索した前記経路と、再探索前の前記出発地と、再探索時の前記新たな出発地とを表示することを特徴とするナビゲーションシステム。
【請求項２】
前記表示手段は、再探索前の前記出発地と、再探索時の前記新たな出発地とを同時に表示すべく、表示画像の縮尺を調整する調整機能を有することを特徴とする請求項１に記載のナビゲーションシステム。
【請求項３】
前記表示手段は、再探索前の前記出発地から再探索時の前記新たな出発地に向かう移動軌跡を、再探索した前記経路に付して表示することを特徴とする請求項１に記載のナビゲーションシステム。
【請求項４】
前記表示手段は、前記移動軌跡に沿って移動した距離及び／又は移動時間に係る情報を、前記移動軌跡に付して表示することを特徴とする請求項３に記載のナビゲーションシステム。
【請求項５】
前記表示手段は、再探索前の前記出発地を起点とし、再探索時の前記新たな出発地を終点として直線で連結した直線移動軌跡を、再探索した前記経路に付して表示することを特徴とする請求項１に記載のナビゲーションシステム。
【請求項６】
設定した経路探索条件を満たす経路を探索する経路探索サーバにネットワークを介して接続される端末装置において、
前記端末装置は、出発地及び目的地を含む経路探索条件を設定する条件設定手段と、前記端末装置の現在地を取得する現在地取得手段と、前記経路探索サーバに対して経路探索要求を行う経路探索要求手段と、前記経路探索サーバが探索した経路を記憶する経路データ記憶手段と、前記経路探索サーバが探索した経路を前記出発地及び前記目的地とともに表示する表示手段とを備え、
前記経路データ記憶手段は、再探索前の前記出発地と、再探索時の前記新たな出発地と、再探索した前記経路とを記憶し、 前記表示手段は、前記経路探索サーバが、前記経路案内中の経路から前記端末装置が逸脱した際に、前記現在地を新たな出発地として、前記目的地までの経路を再探索した際、再探索した前記経路と、再探索前の前記出発地と、再探索時の前記新たな出発地とを表示することを特徴とする端末装置。
【請求項７】
出発地及び目的地を含む経路探索条件を設定するとともに、前記経路探索条件に従って探索された経路を表示する端末装置に対して、ネットワークを介して接続される経路探索サーバにおいて、
前記経路探索サーバは、前記経路探索条件に従って前記経路を探索する経路探索手段を備え、
前記経路探索手段は、前記経路案内中の経路から前記端末装置が逸脱した際に、前記端末装置の現在地を新たな出発地とし、前記目的地までの経路を再探索した際、前記端末装置の表示手段に対して、再探索した前記経路と、再探索前の前記出発地と、再探索時の前記新たな出発地とを表示させることを特徴とする経路探索サーバ。
【請求項８】
設定された経路探索条件に従い、経路探索手段により経路を探索して経路案内を行うナビゲーション方法において、
出発地及び目的地を含む経路探索条件を設定するステップと、
前記経路探索条件に従って前記経路を探索するステップと、
探索した前記経路を表示手段に表示するステップと、
現在地を取得するステップと、
前記現在地を新たな出発地として経路を再探索するステップと、
再探索した前記経路と、再探索前の前記出発地と、再探索時の前記新たな出発地とを表示するステップと、
を有することを特徴とするナビゲーション方法。
【請求項９】
設定された経路探索条件を満たす経路を探索して経路案内を行うナビゲーション装置において、
前記ナビゲーション装置は、出発地及び目的地を含む経路探索条件を設定する条件設定手段と、前記ナビゲーション装置の現在地を取得する現在地取得手段と、設定された経路探索条件に従って出発地から目的地までの経路を探索する経路探索手段と、探索した経路を記憶する経路データ記憶手段と、前記経路を前記出発地及び前記目的地とともに表示する表示手段とを備え、
前記経路探索手段は、前記経路案内中の経路から前記ナビゲーション装置が逸脱した際に、前記現在地を新たな出発地として、前記目的地までの経路を再探索し、
前記経路データ記憶手段は、再探索前の前記出発地と、再探索時の前記新たな出発地と、再探索した前記経路とを記憶し、
前記表示手段は、再探索した前記経路と、再探索前の前記出発地と、再探索時の前記新たな出発地とを表示することを特徴とするナビゲーション装置。
【手続補正２】
【補正対象書類名】明細書
【補正対象項目名】００２７
【補正方法】変更
【補正の内容】
【００２７】
また、本願の請求項６にかかる発明は、
設定した経路探索条件を満たす経路を探索する経路探索サーバにネットワークを介して接続される端末装置において、
前記端末装置は、出発地及び目的地を含む経路探索条件を設定する条件設定手段と、前記端末装置の現在地を取得する現在地取得手段と、前記経路探索サーバに対して経路探索要求を行う経路探索要求手段と、前記経路探索サーバが探索した経路を記憶する経路データ記憶手段と、前記経路探索サーバが探索した経路を前記出発地及び前記目的地とともに表示する表示手段とを備え、
前記経路データ記憶手段は、再探索前の前記出発地と、再探索時の前記新たな出発地と、再探索した前記経路とを記憶し、
前記表示手段は、前記経路探索サーバが、前記経路案内中の経路から前記端末装置が逸脱した際に、前記現在地を新たな出発地として、前記目的地までの経路を再探索した際、再探索した前記経路と、再探索前の前記出発地と、再探索時の前記新たな出発地とを表示することを特徴とする端末装置。
【手続補正３】
【補正対象書類名】明細書
【補正対象項目名】００２８
【補正方法】削除
【補正の内容】
【手続補正４】
【補正対象書類名】明細書
【補正対象項目名】００２９
【補正方法】削除
【補正の内容】
【手続補正５】
【補正対象書類名】明細書
【補正対象項目名】００３０
【補正方法】削除
【補正の内容】
【手続補正６】
【補正対象書類名】明細書
【補正対象項目名】００３１
【補正方法】削除
【補正の内容】
【手続補正７】
【補正対象書類名】明細書
【補正対象項目名】００３２
【補正方法】変更
【補正の内容】
【００３２】
また、本願の請求項７にかかる発明は、
出発地及び目的地を含む経路探索条件を設定するとともに、前記経路探索条件に従って探索された経路を表示する端末装置に対して、ネットワークを介して接続される経路探索サーバにおいて、
前記経路探索サーバは、前記経路探索条件に従って前記経路を探索する経路探索手段を備え、
前記経路探索手段は、前記経路案内中の経路から前記端末装置が逸脱した際に、前記端末装置の現在地を新たな出発地とし、前記目的地までの経路を再探索した際、前記端末装置の表示手段に対して、再探索した前記経路と、再探索前の前記出発地と、再探索時の前記新たな出発地とを表示させることを特徴とする経路探索サーバ。
【手続補正８】
【補正対象書類名】明細書
【補正対象項目名】００３３
【補正方法】削除
【補正の内容】
【手続補正９】
【補正対象書類名】明細書
【補正対象項目名】００３４
【補正方法】削除
【補正の内容】
【手続補正１０】
【補正対象書類名】明細書
【補正対象項目名】００３５
【補正方法】削除
【補正の内容】
【手続補正１１】
【補正対象書類名】明細書
【補正対象項目名】００３６
【補正方法】削除
【補正の内容】
【手続補正１２】
【補正対象書類名】明細書
【補正対象項目名】００３７
【補正方法】変更
【補正の内容】
【００３７】
また、本願の請求項８にかかる発明は、
設定された経路探索条件に従い、経路探索手段により経路を探索して経路案内を行うナビゲーション方法において、
出発地及び目的地を含む経路探索条件を設定するステップと、
前記経路探索条件に従って前記経路を探索するステップと、
探索した前記経路を表示手段に表示するステップと、
現在地を取得するステップと、
前記現在地を新たな出発地として経路を再探索するステップと、
再探索した前記経路と、再探索前の前記出発地と、再探索時の前記新たな出発地とを表示するステップと、
を有することを特徴とするナビゲーション方法。
【手続補正１３】
【補正対象書類名】明細書
【補正対象項目名】００３８
【補正方法】削除
【補正の内容】
【手続補正１４】
【補正対象書類名】明細書
【補正対象項目名】００３９
【補正方法】削除
【補正の内容】
【手続補正１５】
【補正対象書類名】明細書
【補正対象項目名】００４０
【補正方法】削除
【補正の内容】
【手続補正１６】
【補正対象書類名】明細書
【補正対象項目名】００４１
【補正方法】削除
【補正の内容】
【手続補正１７】
【補正対象書類名】明細書
【補正対象項目名】００４２
【補正方法】変更
【補正の内容】
【００４２】
また、本願の請求項９にかかる発明は、設定された経路探索条件を満たす経路を探索して経路案内を行うナビゲーション装置において、
前記ナビゲーション装置は、出発地及び目的地を含む経路探索条件を設定する条件設定手段と、前記ナビゲーション装置の現在地を取得する現在地取得手段と、設定された経路探索条件に従って出発地から目的地までの経路を探索する経路探索手段と、探索した経路を記憶する経路データ記憶手段と、前記経路を前記出発地及び前記目的地とともに表示する表示手段とを備え、
前記経路探索手段は、前記経路案内中の経路から前記ナビゲーション装置が逸脱した際に、前記現在地を新たな出発地として、前記目的地までの経路を再探索し、
前記経路データ記憶手段は、再探索前の前記出発地と、再探索時の前記新たな出発地と、再探索した前記経路とを記憶し、
前記表示手段は、再探索した前記経路と、再探索前の前記出発地と、再探索時の前記新たな出発地とを表示することを特徴とするナビゲーション装置。
【手続補正１８】
【補正対象書類名】明細書
【補正対象項目名】００４３
【補正方法】削除
【補正の内容】
【手続補正１９】
【補正対象書類名】明細書
【補正対象項目名】００４４
【補正方法】削除
【補正の内容】
【手続補正２０】
【補正対象書類名】明細書
【補正対象項目名】００４５
【補正方法】削除
【補正の内容】
【手続補正２１】
【補正対象書類名】明細書
【補正対象項目名】００４６
【補正方法】削除
【補正の内容】
【手続補正２２】
【補正対象書類名】明細書
【補正対象項目名】００５３
【補正方法】変更
【補正の内容】
【００５３】
請求項６にかかる発明においては、請求項１〜５にかかるナビゲーションシステムを構成する端末装置を提供することができ、請求項７にかかる発明においては、請求項１〜５にかかるナビゲーションシステムを構成する経路探索サーバを提供することができる。
【手続補正２３】
【補正対象書類名】明細書
【補正対象項目名】００５４
【補正方法】変更
【補正の内容】
【００５４】
また、請求項８にかかる発明においては、請求項１〜５にかかるナビゲーションシステムにおけるナビゲーション方法を提供することができる。請求項９にかかる発明においては、請求項１〜５にかかるナビゲーションシステムをスタンドアロンのナビゲーション装置として構成することができるようになる。